【手続補正書】
【提出日】平成31年1月8日(2019.1.8)
【手続補正１】
【補正対象書類名】特許請求の範囲
【補正対象項目名】全文
【補正方法】変更
【補正の内容】
【特許請求の範囲】
【請求項１】
撮像センサを有する撮像装置であって、
前記撮像センサより得られた画像データから、当該画像データを構成する各色成分のプレーンを生成し、色成分のプレーンごとに独立して、周波数変換処理、量子化処理、符号化する符号化手段と、
前記符号化部を制御する制御手段とを有し、
前記制御手段は、前記画像データ撮像時の撮影情報に応じて、量子化処理で用いる量子化係数を決定することを特徴とする撮像装置。
【請求項２】
前記制御手段は、
撮像時におけるＩＳＯ感度または露出情報に基づき、前記撮像センサより得られた各色成分のプレーンに対する量子化処理で用いる量子化係数を補正するか否かを判定する判定手段と、
該判定手段で量子化係数を補正すると判定した場合、各色成分のプレーンのヒストグラムの分布に基づき、各色成分に対する量子化処理で用いる量子化係数を決定する決定手段とを含む
ことを特徴とする請求項１に記載の撮像装置。
【請求項３】
前記判定手段は、
（１）露出情報が示す露出が許容範囲外にある、
（２）前記露出が前記許容範囲内にあって、かつ、撮像時の感度が所定の閾値以上である、
のいずれかを満たすとき、量子化係数を補正すると判定する
ことを特徴とする請求項２に記載の撮像装置。
【請求項４】
前記決定手段は、
Ｒ，Ｇ，Ｂ成分の各プレーンのヒストグラムから、色成分を表す３つのピーク位置を検出する検出手段と、
前記３つのピーク位置のうち、最も輝度が低く、かつ、他の色成分のピークとの距離が予め設定された閾値以上はなれたピーク位置を着目ピーク位置としたとき、
当該着目ピーク位置と前記他の色成分のピーク位置の比を、予め設定された標準量子化係数に乗じることで、前記着目ピーク位置が示す色成分の量子化係数を設定し、前記他の色成分については前記標準量子化係数を用いるものとして設定する設定手段と、
を有することを特徴とする請求項２に記載の撮像装置。
【請求項５】
前記符号化手段は、
着目している色成分のプレーンをウェーブレット変換する変換手段と、
変換して得られたサブバンドの変換係数を、前記制御手段により設定された量子化係数を用いて量子化する量子化手段と、
量子化後の変換係数をエントロピー符号化するエントロピー符号化手段と
を含むことを特徴とする請求項２に記載の撮像装置。
【請求項６】
前記撮像センサはベイヤ配列の撮像センサであって、
前記符号化手段が符号化する対象の各プレーンは、前記撮像センサより得られたＲＡＷ画像データを構成するＲ，Ｇ１、Ｇ２，Ｂの４つのプレーンである
ことを特徴とする請求項２に記載の撮像装置。
【請求項７】
前記制御手段は、
撮像モードの種類と、各色成分の量子化係数を決定するための情報とを対応つけて記憶する記憶手段と、
前記撮像センサで撮像した際の撮像モードに基づき、前記記憶手段を参照して色成分毎の量子化処理で用いる量子化係数を決定する決定手段と
を有することを特徴とする請求項１に記載の撮像装置。
【請求項８】
前記記憶手段は、撮像モードの種類に対応つけて各色成分の補正係数を記憶し、
前記決定手段は、各色成分の補正係数を、予め設定された標準量子化係数に乗算することで、各色成分の量子化係数を決定する
ことを特徴とする請求項７に記載の撮像装置。
【請求項９】
前記撮像モードには、赤成分を強調する夕景モードと、青成分を強調する昼風景モードが含まれることを特徴とする請求項８に記載の撮像装置。
【請求項１０】
更に、現在日時を計時する計時手段を有し、
前記制御手段は、前記計時手段で計時された日時に基づいて前記夕景モード、昼風景モードを決定する
ことを特徴とする請求項９に記載の撮像装置。
【請求項１１】
撮像センサを有する撮像装置の制御方法であって、
前記撮像センサより得られた画像データから、当該画像データを構成する各色成分のプレーンを生成し、色成分のプレーンごとに独立して、周波数変換処理、量子化処理、符号化する符号化工程と、
前記符号化部を制御する制御工程とを有し、
前記制御工程は、前記画像データ撮像時の撮影情報に応じて、量子化処理で用いる量子化係数を決定する
ことを特徴とする撮像装置の制御方法。
【請求項１２】
前記制御工程は、
撮像時におけるＩＳＯ感度または露出情報に基づき、前記撮像センサより得られた各色成分のプレーンに対する量子化処理で用いる量子化係数を補正するか否かを判定する判定工程と、
該判定工程で量子化係数を補正すると判定した場合、各色成分のプレーンのヒストグラムの分布に基づき、各色成分に対する量子化処理で用いる量子化係数を決定する決定工程とを含む
ことを特徴とする請求項１１に記載の撮像装置の制御方法。
【請求項１３】
前記撮像装置は、撮像モードの種類と、各色成分の量子化係数を決定するための情報とを対応つけて記憶する記憶手段を有し、
前記制御工程は、
前記撮像センサで撮像した際の撮像モードに基づき、前記記憶手段を参照して色成分毎の量子化処理で用いる量子化係数を決定する決定工程と
を有することを特徴とする請求項１１に記載の撮像装置の制御方法。
【請求項１４】
コンピュータが読み込み実行することで、前記コンピュータに、請求項１１に記載の制御方法の各工程を実行させるためのプログラム。
【手続補正２】
【補正対象書類名】明細書
【補正対象項目名】０００８
【補正方法】変更
【補正の内容】
【０００８】
この課題を解決するため、例えば本発明の撮像装置は以下の構成を備える。すなわち、
撮像センサを有する撮像装置であって、
前記撮像センサより得られた画像データから、当該画像データを構成する各色成分のプレーンを生成し、色成分のプレーンごとに独立して、周波数変換処理、量子化処理、符号化する符号化手段と、
前記符号化部を制御する制御手段とを有し、
前記制御手段は、前記画像データ撮像時の撮影情報に応じて、量子化処理で用いる量子化係数を決定することを特徴とする。
【手続補正３】
【補正対象書類名】明細書
【補正対象項目名】０００９
【補正方法】変更
【補正の内容】
【０００９】
また、他の発明の撮像装置の制御方法は以下の構成を備える。すなわち、
撮像センサを有する撮像装置の制御方法であって、
前記撮像センサより得られた画像データから、当該画像データを構成する各色成分のプレーンを生成し、色成分のプレーンごとに独立して、周波数変換処理、量子化処理、符号化する符号化工程と、
前記符号化部を制御する制御工程とを有し、
前記制御工程は、前記画像データ撮像時の撮影情報に応じて、量子化処理で用いる量子化係数を決定することを特徴とする。
【手続補正４】
【補正対象書類名】明細書
【補正対象項目名】００２８
【補正方法】変更
【補正の内容】
【００２８】
Ｒ成分のサブバンドＨＨRの中で、値が０〜ｉの範囲にある変換係数の個数（累積個数）をＮR（ｉ）と表す。同様に、Ｇ成分のサブバンドＨＨGの中で、値が０〜ｉの範囲にある変換係数の個数をＮG（ｉ）と表す。そして、Ｂ成分のサブバンドＨＨBの中で、値が０〜ｉの範囲にある個数をＮB（ｉ）と表す。
【手続補正５】
【補正対象書類名】明細書
【補正対象項目名】００３１
【補正方法】変更
【補正の内容】
【００３１】
エントロピー符号化を行うまえに、量子化処理が行われる。この量子化で用いる標準的な量子化係数（以下、標準量子化係数ＱS）が、仮に、変換係数の最大値の１０％に相当する“２５(≒２５５／１０)”であるとする。図４の場合、サブバンドＨＨB内の全変換係数のうち１０％の変換係数が０に量子化され、サブバンドＨＨG内の全変換係数のうち７％の変換係数が０に量子化される。これに対し、サブバンドＨＨRの内の全変換係数のうち、実に２５％もの変換係数が０に量子化されてしまう。
【手続補正６】
【補正対象書類名】明細書
【補正対象項目名】００３９
【補正方法】変更
【補正の内容】
【００３９】
ここで、図３（ａ）とは異なるが、仮にピーク位置ＰRとＰGの差が閾値以下であり、それらピーク位置ＰBよりも小さく、かつ、その間の距離が閾値Ｔｈを超えているとする。さらに、ピーク位置ＰRとＰGが、暗いと判定するための予め設定された閾値以下であるとする。この場合、色成分Ｒ，Ｇの補正係数ＣR，ＣGは次の通りになる。
ＣR＝ＰR／ＰB
ＣG＝ＰG／ＰB
そして、各色成分の量子化係数は次式で与えられる。
ＱR＝ＱS×ＣR
ＱG＝ＱS×ＣG
ＱB＝ＱS
【手続補正７】
【補正対象書類名】明細書
【補正対象項目名】００５０
【補正方法】変更
【補正の内容】
【００５０】
具体的には、ＲＡＷ圧縮部１１０は、Ｓ５０７にて、Ｒ，Ｇ１、Ｇ２，Ｂの各プレーンについてウェーブレット変換を行う。そして、ＲＡＷ圧縮部１１０は、Ｓ５０８にて、各プレーンのウェブレット変換で得られたサブバンド内の変換係数を、上記で決定した量子化係数で量子化する。そして、ＲＡＷ圧縮部１１０は、Ｓ５０９にて、各色成分毎に、量子化後のサブバンドの変換係数を、エントロピー符号化を行い、得られた符号化データをバッファ１１２に出力する。制御部１５０は、Ｓ５１０にて、バッファ１１２に格納された符号化データに、復号に必要な情報をファイルヘッダとして付加し、記録媒体１１３に保存する処理を行う。
【手続補正８】
【補正対象書類名】明細書
【補正対象項目名】００５７
【補正方法】変更
【補正の内容】
【００５７】
以上の結果、動画像や連写の場合に、１枚の画像毎に量子化係数の補正処理を行う必要がなくなり、処理の負担を軽減でき、そのため消費電力の削減も期待できる。
【手続補正９】
【補正対象書類名】明細書
【補正対象項目名】００６８
【補正方法】変更
【補正の内容】
【００６８】
制御部１５０は、Ｓ８０７にて、バッファ１１２に格納された符号化データに、復号に必要な情報をファイルヘッダとして付加し、記録媒体１１３に保存する処理を行う。